【手続補正書】
【提出日】平成16年5月18日(2004.5.18)
【手続補正１】
【補正対象書類名】特許請求の範囲
【補正対象項目名】全文
【補正方法】変更
【補正の内容】
【特許請求の範囲】
【請求項１】
インレットガスの酸素含有量が少なくとも５０vol.％であり、可燃物及び該インレットガスを第１燃焼チャンバーへ搬送する、
前記可燃物を燃焼チャンバー内のインレットガスの酸素で燃焼し、焼却された可燃物の熱分解生成物として排煙と固形粒子を生じる、
前記排煙及び前記粒子が第２燃焼チャンバーへ通され、更に燃焼する、
第２燃焼チャンバーから出る排煙が冷却される、
前記冷却された排煙の一部が少なくとも１つの燃焼チャンバーに戻され、該冷却された排煙が該燃焼チャンバー内の温度を抑える、
前記冷却された排煙の残部が排煙浄化システムへ通過し、排煙中の汚染物質と粒子は、排煙が大気中に放出される前に、実質的に無害の化合物へ変換されるか、又は完全に除去される、
段階を含む可燃物を焼却するプロセス。
【請求項２】
少なくとも１つの燃焼チャンバーの少なくとも1つのパラメーターの値を監視し、該パラメーターが少なくとも１つの燃焼チャンバーの可燃物の熱分解の関数である、
パラメーターの少なくとも１つの値と、パラメーターのための少なくとも１つの所定値を比較することが行なわれ、該比較は制御装置によりもたらされる、
前記比較の結果を、前記戻す段階で少なくとも１つの前記燃焼チャンバー及び排煙ガス浄化システムに戻される前記冷却された排煙の一部を制御するための装置に伝え、冷却された排煙の残りの部分を通す前記段階で排煙の浄化システムに伝え、その結果排煙の一部の量を調節する装置に伝える、
段階を更に含む請求項１のプロセス。
【請求項３】
前記監視の段階の少なくとも１つのパラメーターが温度である請求項２のプロセス。
【請求項４】
燃焼チャンバーの少なくとも１つが第２燃焼チャンバーである請求項２のプロセス。
【請求項５】
燃焼チャンバーの少なくとも１つが第１燃焼チャンバーである請求項２のプロセス。
【請求項６】
前記監視の段階の少なくとも１つのパラメーターが一酸化炭素の濃度である請求項２のプロセス。
【請求項７】
燃焼チャンバーの少なくとも１つが第２燃焼チャンバーである請求項６のプロセス。
【請求項８】
前記監視の段階の少なくとも１つのパラメーターが酸素である請求項２のプロセス。
【請求項９】
燃焼チャンバーの少なくとも１つが第２燃焼チャンバーである請求項８のプロセス。
【請求項１０】
冷却ガスの総量を制御する手段がバルブであることを特徴とする請求項２のプロセス。
【請求項１１】
前記搬送の段階のインレットガスが２つの高濃度酸素流路に搬送され、インレットガス流路の１つは燃焼する可燃物に隣接して位置し、もう１方のガス流路は燃焼する可燃物の炎の上部に位置し、各流路からの酸素の量は制御され、燃焼する可燃物の温度は、第１燃焼チャンバーのフロアへ最小の損害となる温度で維持され、システムの基準範囲内の酸素量％で、可燃物の実質的に完全な燃焼が起こることを特徴とする請求項１のプロセス。
【請求項１２】
インレットガスの酸素含有量が少なくとも約８０vol.％である請求項１のプロセス。
【請求項１３】
インレットガスの酸素含有量が少なくとも約９０vol.％である請求項１のプロセス。
【請求項１４】
インレットガスの酸素含有量が約９０vol.％から９５vol.％の間である請求項１のプロセス。
【請求項１５】
第１燃焼チャンバーにおける前記燃焼の段階が約１１００℃から約２０００℃の温度でもたらされる請求項１のプロセス。
【請求項１６】
第１燃焼チャンバーにおける前記燃焼の段階が約１２００℃から約１７５０℃の温度でもたらされる請求項１のプロセス。
【請求項１７】
第１燃焼チャンバーにおける前記燃焼の段階が約１３００℃から約１５００℃の温度でもたらされる請求項１のプロセス。
【請求項１８】
前記第２燃焼チャンバー内の排煙の前記通過の段階における前記燃焼段階が約８５０℃から約１５００℃の温度でもたらされる請求項１のプロセス。
【請求項１９】
前記第２燃焼チャンバー内の排煙の前記通過の段階における前記燃焼段階が約９５０℃から約１３５０℃の温度でもたらされる請求項１のプロセス。
【請求項２０】
前記第２燃焼チャンバー内の排煙の前記通過の段階における前記燃焼段階が約１０５０℃から約１２００℃の温度でもたらされる請求項１のプロセス。
【請求項２１】
酸化窒素ガスを分解するために、少なくとも１種類の分解された窒素化合物を前記第２燃焼チャンバーへ加える段階から更になる請求項１のプロセス。
【請求項２２】
少なくとも１種類の分解された窒素化合物がアンモニアか尿素であることを特徴とする請求項２１のプロセス。
【請求項２３】
排煙が冷却された後、該排煙から固形粒子を分離する段階から更になる請求項１のプロセス。
【請求項２４】
前記戻しの段階の燃焼チャンバーの少なくとも１つが第１燃焼チャンバーであることを特徴とする請求項１のプロセス。
【請求項２５】
前記可燃物を燃焼する段階で炎を生じ、前記冷却された排煙が該炎に隣接する第１燃焼チャンバーに戻されることを特徴とする請求項２４のプロセス。
【請求項２６】
前記戻しの段階の少なくとも１つの前記燃焼チャンバーが第２燃焼チャンバーであることを特徴とする請求項１のプロセス。
【請求項２７】
燃焼物質が廃棄物である請求項１のプロセス。
【請求項２８】
燃焼物質が有害廃棄物である請求項２８のプロセス。
【請求項２９】
燃焼物質が燃料である請求項１のプロセス。
【請求項３０】
インレットガスの酸素含有量が約９５vol.％から約１００vol.％の間である請求項１のプロセス。
【請求項３１】
廃棄物の供給元から搬送される廃棄物が排煙と固形粒子を生じるために燃焼される第１燃焼チャンバーと、
両方のインレットが、少なくとも５０vol％の酸素含有量を有するインレットガス・ストリームを供給し、第１ガスインレットが前記チャンバー内の廃棄物の周辺にインレットガスを供給し、第２ガスインレットが燃焼する廃棄物のフレーム上にインレットガスを供給する、インレットガス・ストリームを前記第１燃焼チャンバーへ供給するための第１及び第２ガスインレットと、
前記第１燃焼チャンバーと一体化したフロー伝達における、前記第１燃焼チャンバーから届く燃焼していない又は一部分が燃焼した排煙及び固形微粒子を燃焼するための第２燃焼チャンバーと、
前記第２燃焼チャンバーと一体化したフロー伝達における、前記第２燃焼チャンバーから届く排煙を冷却するための熱交換器と、
前記第２燃焼チャンバーから届く排煙から固形粒子を分離するための粒子分離装置と、
上流側で前記熱交換器と一体化し下流側で少なくとも１つの前記燃焼チャンバーと一体化し、フロー伝達を制御し、再循環され冷却されたガスが少なくとも１つの前記チャンバーにおいて温度を下げる、少なくとも１つの前記燃焼チャンバーに再循環される冷却されたガスの一部分を制御するための装置と、
冷却された排煙の一部分を制御するための前記装置と連通し、前記燃焼チャンバーの少なくとも１つに再循環されていない排煙を浄化する排煙浄化システムと、
を含む廃棄物を焼却するためのシステム。
【請求項３２】
前記制御する手段がバルブであることを特徴とする請求項３０のシステム。
【請求項３３】
少なくとも燃焼システムにおいてパラメーターを監視するための制御システムを更に含み、これに合わせて、少なくとも１つの前記燃焼チャンバーの１つに戻される冷却された排煙の一部を制御するために前記バルブを作動させる請求項３１のシステム。
【請求項３４】
前記チャンバーの少なくとも１つが前記第１燃焼チャンバーである請求項３２のシステム。
【請求項３５】
前記チャンバーの少なくとも１つが前記第２燃焼チャンバーである請求項３２のシステム。
【請求項３６】
動作及び制御が単独で行われるよう互いに離れて位置する前記第１チャンバー及び第２チャンバーが、シングルユニットの一部分であることを特徴する請求項３０のシステム。
【手続補正２】
【補正対象書類名】明細書
【補正対象項目名】０００５
【補正方法】変更
【補正の内容】
【０００５】
近年提案された焼却方法及び焼却炉の例として、米国特許第５７５２４５２号及び第５１７９９０３号、ＷＯ９６／２４８０４号がある。
米国特許第５１７９９０３号及びＷＯ９６／２４８０４号は、量が酸素で増加する再利用排煙について記載される。米国特許第５７５２４５２号は、少なくとも３５０ft／秒の速度で加熱領域に酸素を注入するランスを備えたシステムについて記載される。